【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
シート経路と、
前記シート経路の第１の面上に位置する折り目付け部材と、
前記折り目付け部材の反対側の前記シート経路の第２の面上に位置する丸みのある支持体と、を含み、
印刷媒体のシートが前記シート経路に沿って処理方向に移動するとき、印刷媒体のシートが前記折り目付け部材と前記丸みのある支持体の間の処理平面に沿って進むように、前記丸みのある支持体は前記折り目付け部材に対して位置しており、
印刷媒体の前記シートが前記折り目付け部材と前記丸みのある支持体の間を通過するとき、前記処理平面は印刷媒体の前記シートの平坦面に平行であり、
前記丸みのある支持体は前記処理平面に対して平行に位置する表面を含み、
前記丸みのある支持体の前記表面は前記折り目付け部材の外隅部に対応する形状を有する凹部を有し、
前記丸みのある支持体の前記表面は前記折り目付け部材の前記処理平面での動きと一致して旋回して、前記凹部を前記処理方向に平行な方向と前記処理方向に非平行な方向との間の前記処理平面上の任意の方向に位置付けする、
印刷媒体処理装置。
【請求項２】
前記折り目付け部材がその横断面において、丸みのある外隅部を有する構造を含み、前記凹部がその横断面において、丸みのある内隅部を有するぴったり合う凹部を含む、請求項１に記載の印刷媒体処理装置。
【請求項３】
前記折り目付け部材が、折り目付け立方体、車輪、および棒のうちの１つを含む、請求項１に記載の印刷媒体処理装置。
【請求項４】
前記折り目付け部材と前記丸みのある支持体とが回転して印刷媒体の前記シートの前記平坦面の中の任意の方向に折り目を作る、請求項１に記載の印刷媒体処理装置。
【請求項５】
前記凹部の前記形状および前記折り目付け部材の前記形状により、前記折り目付け部材が前記折り目の位置で印刷媒体の前記シートの外層を破ることなしに媒体の前記シートの内部層を剥離させる、請求項１に記載の印刷媒体処理装置。
【請求項６】
シート経路と、
前記シート経路の第１の面上に位置する折り目付け部材と、
前記折り目付け部材の反対側の前記シート経路の第２の面上に位置する丸みのある支持体と、
前記折り目付け部材に連結された第１のアクチュエータと、
前記丸みのある支持体に連結された第２のアクチュエータと、を含み、
印刷媒体のシートが前記シート経路に沿って処理方向に移動するとき、印刷媒体の前記シートが前記折り目付け部材と前記丸みのある支持体の間の処理平面に沿って進むように、前記丸みのある支持体は前記折り目付け部材に対して位置しており、
印刷媒体の前記シートが前記折り目付け部材と前記丸みのある支持体の間を通過するとき、前記処理平面は印刷媒体の前記シートの平坦面に平行であり、
前記丸みのある支持体は前記処理平面に対して平行に位置する表面を含み、
前記丸みのある支持体の前記表面は前記折り目付け部材に対応する形状を有する凹部を有し、
前記第１のアクチュエータは前記折り目付け部材を前記凹部の中へ移動させて印刷媒体の前記シート内に折り目を形成して、
前記第２のアクチュエータは、前記丸みのある支持体を前記折り目付け部材の動きと一致して旋回させて、前記凹部を前記処理方向に平行な方向と前記処理方向に非平行な方向との間の前記処理平面上の任意の方向に位置付けする、
印刷媒体処理装置。
【請求項７】
前記折り目付け部材がその横断面において、丸みのある外隅部を有する構造を含み、前記凹部がその横断面において、丸みのある内隅部を有するぴったり合う凹部を含む、請求項６に記載の印刷媒体処理装置。
【請求項８】
前記折り目付け部材が、折り目付け立方体、車輪、および棒のうちの１つを含む、請求項６に記載の印刷媒体処理装置。
【請求項９】
前記折り目付け部材と前記丸みのある支持体とが回転して印刷媒体の前記シートの前記平坦面の中の任意の方向に折り目を作る、請求項６に記載の印刷媒体処理装置。
【請求項１０】
前記凹部の前記形状および前記折り目付け部材の前記形状により、前記折り目付け部材が前記折り目の位置で印刷媒体の前記シートの外層を破ることなしに媒体の前記シートの内部層を剥離させる、請求項６に記載の印刷媒体処理装置。
【請求項１１】
シート経路と、
前記シート経路の第１の面上に位置する折り目付け部材と、
前記折り目付け部材の反対側の前記シート経路の第２の面上に位置する丸みのある支持体と、
前記折り目付け部材に連結された第１のアクチュエータと、
前記丸みのある支持体に連結された第２のアクチュエータと、
前記シート経路、前記第１のアクチュエータ、および前記第２のアクチュエータに操作可能なように接続されたプロセッサと、を含み、
印刷媒体のシートが前記シート経路に沿って処理方向に移動するとき、印刷媒体の前記シートが前記折り目付け部材と前記丸みのある支持体の間の処理平面に沿って進むように、前記丸みのある支持体は前記折り目付け部材に対して位置しており、
印刷媒体の前記シートが前記折り目付け部材と前記丸みのある支持体の間を通過するとき、前記処理平面は印刷媒体の前記シートの平坦面に平行であり、
前記丸みのある支持体は前記処理平面に対して平行に位置する表面を含み、
前記丸みのある支持体の前記表面は前記折り目付け部材に対応する形状を有する凹部を有し、
前記プロセッサは、前記第１のアクチュエータが前記折り目付け部材を前記処理平面に沿って前記凹部の中へ移動させて印刷媒体の前記シート内に折り目を形成するように制御して、
前記プロセッサは、前記第２のアクチュエータが、前記丸みのある支持体を前記シート経路の前記処理方向に平行な平面で旋回させて、前記凹部を前記処理方向に平行な方向と前記処理方向に非平行な方向との間の前記処理平面上の任意の方向に位置付けするように制御して、
前記折り目付け部材が前記折り目を形成する経路と同じ経路内に前記凹部を位置付けるように、前記プロセッサは前記折り目付け部材と前記丸みのある支持体との動きを調整する、
印刷媒体処理装置。
【請求項１２】
前記折り目付け部材がその横断面において、丸みのある外隅部を有する構造を含み、前記凹部がその横断面において、丸みのある内隅部を有するぴったり合う凹部を含む、請求項１１に記載の印刷媒体処理装置。
【請求項１３】
前記折り目付け部材が、折り目付け立方体、車輪、および棒のうちの１つを含む、請求項１１に記載の印刷媒体処理装置。
【請求項１４】
前記折り目付け部材と前記丸みのある支持体とが回転して印刷媒体の前記シートの前記平坦面の中の任意の方向に折り目を作る、請求項１１に記載の印刷媒体処理装置。
【請求項１５】
前記凹部の前記形状および前記折り目付け部材の前記形状により、前記折り目付け部材が前記折り目の位置で印刷媒体の前記シートの外層を破ることなしに媒体の前記シートの内部層を剥離させる、請求項１１に記載の印刷媒体処理装置。
【請求項１６】
シート経路と、
前記シート経路に隣接した印刷エンジンであって、前記印刷エンジンは前記シート経路に沿って移動する印刷媒体のシート上にマーキングを印刷する、印刷エンジンと、
前記シート経路の第１の面上に位置する折り目付け部材と、
前記折り目付け部材の反対側の前記シート経路の第２の面上に位置する丸みのある支持体と、を含み、
印刷媒体のシートが前記印刷エンジンを出た後に前記シート経路に沿って処理方向に移動するとき、印刷媒体の前記シートが前記折り目付け部材と前記丸みのある支持体の間の処理平面に沿って進むように、前記丸みのある支持体は前記折り目付け部材に対して位置しており、
印刷媒体の前記シートが前記折り目付け部材と前記丸みのある支持体の間を通過するとき、前記処理平面は印刷媒体の前記シートの平坦面に平行であり、
前記丸みのある支持体は前記処理平面に対して平行に位置する表面を含み、
前記丸みのある支持体の前記表面は前記折り目付け部材に対応する形状を有する凹部を有し、
前記丸みのある支持体の前記表面は前記折り目付け部材の前記処理平面での動きと一致して旋回して、前記凹部を前記処理方向に平行な方向と前記処理方向に非平行な方向との間の前記処理平面上の任意の方向に位置付けする、
印刷装置。
【請求項１７】
前記折り目付け部材がその横断面において、丸みのある外隅部を有する構造を含み、前記凹部がその横断面において、丸みのある内隅部を有するぴったり合う凹部を含む、請求項１６に記載の印刷装置。
【請求項１８】
前記折り目付け部材が、折り目付け立方体、車輪、および棒のうちの１つを含む、請求項１６に記載の印刷装置。
【請求項１９】
前記折り目付け部材と前記丸みのある支持体とが回転して印刷媒体の前記シートの前記平坦面の中の任意の方向に折り目を作る、請求項１６に記載の印刷装置。
【請求項２０】
前記凹部の前記形状および前記折り目付け部材の前記形状により、前記折り目付け部材が前記折り目の位置で印刷媒体の前記シートの外層を破ることなしに媒体の前記シートの内部層を剥離させる、請求項１６に記載の印刷装置。